(57)【要約】【課題】ＩＣコイン用の遊技媒体貸与機内部で発せられる無線電波が外部に漏洩することを防止すると共に、外部の電波による遊技媒体貸与機の誤作動を防止することが可能な遊技媒体貸与機を提供する。【解決手段】遊技媒体貸与機２００は、通信によりデータの読み取り又は書き込みの少なくとも何れか一方を可能とするＩＣコインを投入するためのＩＣコイン投入口２０４と、ＩＣコインを排出するためのＩＣコイン排出口２０６と、ＩＣコイン投入口２０４からＩＣコイン排出口２０６へと至るＩＣコイン通路と、ＩＣコイン通路に設けられ、ＩＣコイン通路を通行するＩＣコインに対し、通信によりデータの読み取り又は書き込みの少なくとも何れかを行うための通信手段と、を備え、前記ＩＣコイン通路の内壁に電波吸収体２８０を設けてなる。【選択図】　　　図４
2004141490.tif 000002
【特許請求の範囲】
【請求項１】
通信によりデータの読み取り又は書き込みの少なくとも何れか一方を可能とするＩＣコインを投入するための投入口と、ＩＣコインを排出するための排出口と、前記投入口から前記排出口へと至るＩＣコイン通路と、前記ＩＣコイン通路に設けられ、前記ＩＣコイン通路を通行するＩＣコインに対し、通信によりデータの読み取り又は書き込みの少なくとも何れかを行うための通信手段と、を備え、
前記ＩＣコイン通路の内壁に電波吸収体を設けてなることを特徴とする遊技媒体貸与機。
【請求項２】
通信によりデータの読み取り又は書き込みの少なくとも何れか一方を可能とするＩＣコインを投入するための投入口と、ＩＣコインを排出するための排出口と、前記投入口から前記排出口へと至るＩＣコイン通路と、前記ＩＣコイン通路の一部をなし、ＩＣコインを収納するための収納部と、前記収納部に設けられ、通信により前記収納部に収納されたＩＣコインに対し、通信によりデータの読み取り又は書き込みの少なくとも何れかを行うための通信手段と、を備え、
前記ＩＣコイン通路の一部をなし、ＩＣコインを収納するための前記収納部の内壁に電波吸収体を設けてなることを特徴とする遊技媒体貸与機。
【請求項３】
前記投入口を開閉するための投入口開閉体と、
前記排出口を開閉するための排出口開閉体と、を備え、
前記投入口開閉体及び前記排出口開閉体の前記ＩＣコイン通路側である内壁に電波吸収体を設けてなることを特徴とする前記請求項１又は２記載の遊技媒体貸与機。
【請求項４】
通信によりデータの読み取り又は書き込みの少なくとも何れか一方を可能とするＩＣコインを投入するための投入口と、ＩＣコインを排出するための排出口と、前記投入口から前記排出口へと至るＩＣコイン通路と、前記ＩＣコイン通路に設けられ、前記ＩＣコイン通路を通行するＩＣコインに対し、通信によりデータの読み取り又は書き込みの少なくとも何れかを行うための通信手段と、を備え、
前記ＩＣコイン通路の内壁に電波吸収体を設けてなることを特徴とする遊技機。
【発明の詳細な説明】
【０００１】
【発明の属する技術分野】
本発明は、ＩＣチップを内蔵したＩＣコインを用いて、遊技コインやパチンコ球等の遊技媒体を貸し出す遊技媒体貸与機及び遊技コインにＩＣコインを使用して遊技を行う遊技機に関するものである。
【０００２】
【従来の技術】
一般に、パチスロや、スロットマシン、パチンコと呼ばれる遊技機には、コイン、メダル、トークン、パチンコ球といった遊技媒体が用いられ、遊技が行われている。これらの遊技媒体は、遊技者が当該遊技機に１枚、若しくは、１球ずつ投入することにより遊技が行われ、遊技の結果当選すると所定量の遊技媒体が払出されるように構成されている。
【０００３】
このように、パチスロやパチンコといった遊技機で遊技を行うためには、コインやパチンコ球といった遊技媒体が必要とされ、遊技者は、これら遊技媒体の貸与を受けなければ遊技を行うことができない。
【０００４】
このようなコインやパチンコ球といった遊技媒体は、遊技機間の台間に介設された遊技媒体貸与機から貸し出されている。
【０００５】
遊技者は、遊技媒体貸与機に設けられたプリペイドカード投入口にプリペイドカードを投入し、プリペイドカードに記録された金額の範囲内で所定量の遊技媒体を借りることとなっている。
【０００６】
このコインやパチンコ球といった遊技媒体を借りるための貸与用媒体としてのプリペイドカードは磁気カードにて構成されており、その磁気ストライプ部には、価値データ、残度数データ、ＩＤ番号、発行年月日等の管理データが磁気記録されている。
【０００７】
しかし、このプリペイドカードは、価値データがゼロになると、上述した投入口から排出されるため、排出されたプリペイドカードは、価値が無いため、その処分は、遊技者の自由である。通常は、ごみとして処理されることになるが、悪意ある者によって持ち帰られ、偽造され、不正に再利用される場合もあった。
【０００８】
また、このプリペイドカードは、磁気記録により処理されるので、記録処理に方向性を有し、投入方向が一定にされるため、カードの取り扱いが煩雑となること、データの読み取りや書き込みは、カードに磁気ヘッドが接触して行うので、汚れ、傷、埃等に弱いといった問題点や、遊技媒体貸与機の小型化の要望があった。
【０００９】
このような問題点を解消すべく、プリペイドカードに代えて、コイン型ＩＤタグ（以下、ＩＣコインと称する）を貸与用媒体として使用する遊技媒体貸与機が開発されている。
【００１０】
このＩＣコインは、ＩＣチップ等のデータの書込みおよび読出し可能な記録手段、データの送受信を行う通信手段を内蔵してコイン状に形成し、記録手段に価値データを記録することができる。通信手段はアンテナにより、無線電波を使用して通信可能なように構成されている。非接触によりデータの送受信が可能なものである（例えば、特許文献１参照。）。
【００１１】
遊技者は、プリペイドカードに代えて、このＩＣコインを遊技媒体貸与機に投入することにより、より簡便に遊技媒体を借りることができるようになった。
【００１２】
【特許文献１】
特開２００１−３００１１４号公報（第２−３頁、第６図）
【００１３】
【発明が解決しようとする課題】
しかしながら、上述したＩＣコインでは、データの読み取りや書き込みが非接触通信、即ち、無線電波を発することにより行われるため、この無線電波が遊技媒体貸与機外部に漏洩する場合も考えられる。
【００１４】
例えば、遊技媒体貸与機外部に漏洩した無線電波が、金銭価値データである場合等には、悪意のある者により、この漏洩した無線電波が金銭価値データの不正な書き換え等に利用されてしまうおそれがある。
【００１５】
また、遊技媒体貸与機周辺の電磁波の外乱により、非接触通信で行われるデータの読み取りや書き込みに影響を及ぼすおそれもある。
【００１６】
例えば、携帯電話、小型パソコン、トランシーバー等の、遊技場内に発生する高周波電源や高周波で作動している電磁波発生源から発生する電磁波が、遊技媒体貸与機内部に侵入し、アンテナ、ＩＣチップ等の制御部に影響して誤作動を起こし、正常な書き込みが行われない可能性があるとともに、悪意のある者によって故意に高周波電波が発生されることにより、ＩＣコインに読み取りや書き込みが行われる金銭価値データ等の種々のデータが不正に改ざんされてしまうおそれもある。
【００１７】
本発明は以上の問題点に鑑みてなされたものであり、その目的は、ＩＣコイン用の遊技媒体貸与機内部で発せられる無線電波が外部に漏洩することを防止すると共に、外部の電波による遊技媒体貸与機の誤作動を防止することが可能な遊技媒体貸与機を提供することにある。
【００１８】
【課題を解決するための手段】
以上のような目的を達成するために、本発明は、ＩＣコインを投入するための投入口からＩＣコインを排出するための排出口へと至るＩＣコイン通路の内壁に電波吸収体を備える遊技媒体貸与機を提供する。
【００１９】
より詳細には、本発明は以下のものを提供する。
【００２０】
（１）　通信によりデータの読み取り又は書き込みの少なくとも何れか一方を可能とするＩＣコインを投入するための投入口と、ＩＣコインを排出するための排出口と、前記投入口から前記排出口へと至るＩＣコイン通路と、前記ＩＣコイン通路に設けられ、前記ＩＣコイン通路を通行するＩＣコインに対し、通信によりデータの読み取り又は書き込みの少なくとも何れかを行うための通信手段と、を備え、前記ＩＣコイン通路の内壁に電波吸収体を設けてなることを特徴とする遊技媒体貸与機。
【００２１】
（１）の発明によると、ＩＣコインを媒介として遊技媒体を貸し出す遊技媒体貸与機は、「通信によりデータの読み取り又は書き込みの少なくとも何れか一方を可能とするＩＣコインを投入するための投入口と、ＩＣコインを排出するための排出口と、前記投入口から前記排出口へと至るＩＣコイン通路と、前記ＩＣコイン通路に設けられ、前記ＩＣコイン通路を通行するＩＣコインに対し、通信によりデータの読み取り又は書き込みの少なくとも何れかを行うための通信手段と、を備え、前記ＩＣコイン通路の内壁に電波吸収体を設けてなる」ので、通信によりＩＣコインにデータの読み取りや書き込みを行う場合に使用される無線電波が電波吸収体により吸収され、遊技媒体貸与機内から外部に漏洩することがなく、外部に漏洩する電波を利用してＩＣコインにデータの不正書き込み等を行う不正行為を防止することができる。
【００２２】
また、携帯電話等の遊技媒体貸与機周辺の電磁波の外乱により、非接触通信で行われるデータの読み取りや書き込み処理の誤作動を防止することが期待できると共に、故意に電波を発信しデータの書き込みや読み取りの誤作動を発生させる不正行為を防止することが期待できる。
【００２３】
（２）　通信によりデータの読み取り又は書き込みの少なくとも何れか一方を可能とするＩＣコインを投入するための投入口と、ＩＣコインを排出するための排出口と、前記投入口から前記排出口へと至るＩＣコイン通路と、前記ＩＣコイン通路の一部をなし、ＩＣコインを収納するための収納部と、前記収納部に設けられ、通信により前記収納部に収納されたＩＣコインに対し、通信によりデータの読み取り又は書き込みの少なくとも何れかを行うための通信手段と、を備え、前記ＩＣコイン通路の一部をなし、ＩＣコインを収納するための前記収納部の内壁に電波吸収体を設けてなることを特徴とする遊技媒体貸与機。
【００２４】
（２）の発明によると、ＩＣコインを媒介として遊技媒体を貸し出す遊技媒体貸与機は、「通信によりデータの読み取り又は書き込みの少なくとも何れか一方を可能とするＩＣコインを投入するための投入口と、ＩＣコインを排出するための排出口と、前記投入口から前記排出口へと至るＩＣコイン通路と、前記ＩＣコイン通路の一部をなし、ＩＣコインを収納するための収納部と、前記収納部に設けられ、通信により前記収納部に収納されたＩＣコインに対し、通信によりデータの読み取り又は書き込みの少なくとも何れかを行うための通信手段と、を備え、前記ＩＣコイン通路の一部をなし、ＩＣコインを収納するための前記収納部の内壁に電波吸収体を設けてなる」ので、通信によりＩＣコインにデータの読み取りや書き込みを行う場合に使用される無線電波が電波吸収体により吸収され、遊技媒体貸与機内から外部に漏れることなく、外部に漏れる電波を利用してＩＣコインにデータの書き込みを行う等の不正行為を防止することができる。
【００２５】
また、無線電波の発信源であり、通信を行うためにＩＣコインを収容する収容部の内壁を電波吸収体により構成することにより、必要最低限の範囲で、電波を吸収でき、遊技媒体貸与機内から外部に漏れることなく、外部に漏れる電波を利用してＩＣコインにデータの書き込みを行う等の不正行為を防止することが期待できる。更に、電波吸収体をより小さい面積で構成し、コストを低減することも期待できる。
【００２６】
（３）　前記投入口を開閉するための投入口開閉体と、前記排出口を開閉するための排出口開閉体と、を備え、前記投入口開閉体及び前記排出口開閉体の前記ＩＣコイン通路側である内壁に電波吸収体を設けてなることを特徴とする（１）又は（２）の遊技媒体貸与機。
【００２７】
（３）の発明によると、前記（１）又（２）記載の遊技媒体貸与機に、「前記投入口を開閉するための投入口開閉体と、前記排出口を開閉するための排出口開閉体と、を備え、前記投入口開閉体及び前記排出口開閉体の前記ＩＣコイン通路側である内壁に電波吸収体を設けてなる」ので、例えば、開閉体の内部側壁面を電波吸収体で構成し、ＩＣコインに対してデータの書き込みや読み取りが行われる間、ＩＣコイン投入口及びＩＣコイン排出口が開閉体により閉じられているように構成すれば、遊技媒体貸与機内から外部に漏れることなく、外部に漏れる電波を利用してＩＣコインにデータの書き込みを行う等の不正行為を防止する確実性が高まる。
【００２８】
（４）　通信によりデータの読み取り又は書き込みの少なくとも何れか一方を可能とするＩＣコインを投入するための投入口と、ＩＣコインを排出するための排出口と、前記投入口から前記排出口へと至るＩＣコイン通路と、前記ＩＣコイン通路に設けられ、前記ＩＣコイン通路を通行するＩＣコインに対し、通信によりデータの読み取り又は書き込みの少なくとも何れかを行うための通信手段と、を備え、前記ＩＣコイン通路の内壁に電波吸収体を設けてなることを特徴とする遊技機。
【００２９】
（４）の発明によると、遊技の結果に応じて、遊技媒体の払出しを行い、当該遊技媒体としてＩＣコインを用いる遊技機は、「通信によりデータの読み取り又は書き込みの少なくとも何れか一方を可能とするＩＣコインを投入するための投入口と、ＩＣコインを排出するための排出口と、前記投入口から前記排出口へと至るＩＣコイン通路と、前記ＩＣコイン通路に設けられ、前記ＩＣコイン通路を通行するＩＣコインに対し、通信によりデータの読み取り又は書き込みの少なくとも何れかを行うための通信手段と、を備え、前記ＩＣコイン通路の内壁に電波吸収体を設けてなる」ので、通信によりＩＣコインにデータの読み取りや書き込みを行う場合に使用される無線電波が電波吸収体により吸収され、遊技媒体貸与機内から外部に漏洩することがなく、外部に漏洩する電波を利用してＩＣコインにデータの不正書き込み等を行う不正行為を防止することができる。
【００３０】
また、携帯電話等の遊技媒体貸与機周辺の電磁波の外乱により、非接触通信で行われるデータの読み取りや書き込み処理の誤作動を防止することが期待できると共に、故意に電波を発信しデータの書き込みや読み取りの誤作動を発生させる不正行為を防止することが期待できる。
【００３１】
さらに、ＩＣコインを貸し出し用媒体に設定する遊技媒体貸与機、ＩＣコインを遊技用媒体に設定するスロットマシンやメダルマシン等の遊技機といった用途を問わず、ＩＣコインを使用する機器において上述した効果が期待できる。
【００３２】
［用語の定義等］
本発明に係る「ＩＣコイン」とは、その内部に、超小型の、アンテナと、記録媒体等の半導体集積回路（ＩＣチップ）を有し、全外面を被覆部材で囲繞して、全体形状を偏平な円盤状、即ち、コイン状に形成したものをいう。外部の端末が発信する弱い電波を利用してデータの送受信が可能である。アンテナやＩＣチップ自体が動作するための電力も電波から生成するため、電池なしで動作できるようになっている。
【００３３】
「遊技媒体」とは、遊技機における遊技の開始、進行や結果を定め得るものを示す概念であり、パチンコ等の弾球遊技機における、パチンコ球や、スロットマシンやパチスロ等の回胴式の遊技機における、コインやメダルやトークン等を含む概念である。また、パチンコ球やコインやメダルやトークン等の有体物だけでなく、例えば、クレジットや磁気カード等により、数値データとして示されるものをも含む概念である。本発明では、主として、パチンコ、スロットマシン、パチスロ等の回胴式の遊技機における、パチンコ球、コイン、メダル、トークン等を示すものとして説明する。
【００３４】
「投入口（排出口）開閉体」とは、投入口（排出口）を覆うように、かつ、開閉可能に設けられ、投入口（排出口）内部の機密性を保てるものを含む概念である。例えば、扉のような固着されたものであっても、蓋のような着脱式のものであってもよい。もちろん、扉のように軸着されたものであっても、軸着されないものであってもよい。また、本体のある一面全体を覆うものだけでなくとも、本体のある一面の一部を覆うものや、本体の複数面を覆うものであってもよい。もちろん、面部でなくとも問題ない。
【００３５】
【発明の実施の形態】
以下に、本発明の好適な実施形態について図面に基づいて説明する。
【００３６】
尚、以下において説明する実施形態においては、本発明に係る遊技機に好適な実施形態として、本発明をスロットマシンに適用した場合について説明する。
【００３７】
このスロットマシンである遊技機１０で用いられる遊技媒体は、遊技コインが適用されるものとして説明する。
【００３８】
また、遊技媒体貸与機２００において遊技者に貸し出すこととなる遊技媒体も遊技コインが適用されるものとして説明する。
【００３９】
更に、以下において説明する実施形態における遊技機１０では、スロットマシンに適用した場合について説明するが、本発明はこれに限らず、パチンコ等の弾球遊技機、メダルマシンその他の遊技機にも適用することが可能である。
【００４０】
［遊技場における遊技媒体貸与機及び遊技機を含む全体構成］
図１は、本発明に係るＩＣコイン用遊技媒体貸与機２００及び遊技機１０及びサーバ４３０を有するＩＣコイン管理システムの全体構成を示す概略図である。
【００４１】
この図１に示すＩＣコイン管理システムにおいて、遊技機１０の一側に隣設した遊技媒体貸与機２００は、ネットワークＮＴを介してサーバ４３０に接続されており、このネットワークＮＴを介してサーバ４３０と種々の情報を送受信できるようになされている。
【００４２】
また、ＩＣコイン発行機４００、およびＩＣコイン精算機４１０もネットワークＮＴを介してサーバ４３０に接続されており、このネットワークＮＴを介してサーバ４３０と種々の情報を送受信できるようになされている。また、上述のサーバ４３０は他のシステム、例えば、営業管理用のサーバ等に接続することができる。
【００４３】
上述した遊技機１０は、遊技コインを遊技媒体として遊技が行われるスロットマシンである。
【００４４】
遊技媒体貸与機２００は、遊技機１０に対応した遊技媒体である遊技コインを遊技者に貸与すべく払出しを行い、この遊技コインの貸与用媒体としてＩＣコインを設定するものである。
【００４５】
このＩＣコインは、遊技媒体貸与機２００に現金を投入することにより発行される場合と、上述したＩＣコイン発行機４００に現金を投入することにより発行される場合とがあり、遊技者は、遊技媒体貸与機２００またはＩＣコイン発行機４００により発行されたＩＣコインを使用して、遊技機１０で行う遊技に使用する遊技コインの貸与を受けることができる。
【００４６】
上述したＩＣコイン発行機４００は、上述したＩＣコイン、即ち、遊技機１０における遊技媒体である遊技コインの貸与用媒体として使用するＩＣコインを発行し、この発行は現金の投入に基づいて、投入した現金の金額に対応する価値（金額または度数）のデータをＩＣコインに記録して排出する。
【００４７】
上述したＩＣコイン精算機４１０は、プレーヤが遊技を止めた際、使用したＩＣコインに残価値がある場合、ＩＣコインを投入してその残価値分の現金を返金すべく払い出すことにより、ＩＣコインの価値を精算する。
【００４８】
また、複数の遊技媒体貸与機２００及びこれに隣接した複数の遊技機１０（Ｇ０１−０１〜Ｇ０１−１０）からなる遊技島の端部には、遊技機１０に投入した現金（紙幣及び硬貨）を回収し、また、遊技媒体貸与機２００に投入したＩＣコインの残余価値がなくなった場合等に、これを回収するＩＣコイン回収機４２０を配設している。
【００４９】
［ＩＣコインの構成］
次に、本実施形態におけるＩＣコインの構成について説明する。ＩＣコインはその内部に非接触ＩＤタグを有し、このＩＤタグの全外面を被覆部材で囲繞して、全体形状を偏平な円盤状、即ち、コイン状に形成したものである。
【００５０】
また、上記ＩＤタグは送受信部としての送受信コイル、Ａ／Ｄ変換部、ＣＰＵ、ＲＡＭ、ＲＯＭを含み、電力および信号の送受信を非接触にて実行するものである。
【００５１】
更に、被覆部材の表裏両面は印刷面として構成され、例えば、ＩＣコインが有する価値データや、ＩＣコインを使用する遊技場の固有情報等が印刷されるものである。
【００５２】
このように、ＩＣコインは、非接触通信により、ＩＣコインに内蔵された記録媒体に価値データの読取りや書込み可能に記録する処理回路が内蔵されたものである。
【００５３】
尚、ＩＣコインは、上述した如く、遊技機１０における遊技媒体である遊技コインの貸与用媒体として使用する場合が主であるが、遊技機１０における遊技媒体である遊技コイン自体をＩＣコインとして設定する遊技用媒体としても使用する場合も考えられるものである。
【００５４】
≪第一の実施形態≫
［遊技媒体貸与機の構成］
本発明の一実施形態である遊技機１０及び遊技媒体貸与機２００の概観を示す斜視図を図２に示す。
【００５５】
図２に示す如く、遊技媒体貸与機２００は、遊技機１０に併設され、遊技機１０で使用される遊技媒体である遊技コインの貸与を行うものである。
【００５６】
遊技媒体貸与機２００の構成について説明する。図２に示す如く、この遊技媒体貸与機２００は上下方向に遊技機１０とほぼ高さが同一の縦長の筐体状に形成されている。
【００５７】
この縦長の筐体状の遊技媒体貸与機２００の前面上部には、紙幣投入口２０２が設けられている。この紙幣投入口２０２は、遊技媒体である遊技コインの貸与を受けるための対価として、現金紙幣（例えば、千円札、五千円札、一万円札。）を投入するためのものである。
【００５８】
また、この紙幣投入口２０２の下方には、ＩＣコインに記録された残価値を表示する残価値表示部２１０、遊技コインの貸し出しを入力する貸出スイッチ２１２、投入したＩＣコインの返却を入力する返却スイッチ２１４が設けられている。
【００５９】
更に、遊技媒体貸与機２００の前面上下方向中央部には、ＩＣコイン投入口２０４が設けられている。このＩＣコイン投入口２０４は、遊技媒体貸与機２００や上述したＩＣコイン発行機４００で既に発行されたＩＣコインを投入するためのものである。
【００６０】
更にまた、このＩＣコイン投入口２０４の下方には、ＩＣコイン排出口２０６が設けられている。遊技者により、上述した返却スイッチ２１４が押圧操作されることにより返却が入力されると、投入されたＩＣコインがこのＩＣコイン排出口２０６から排出され、排出されたコインはＩＣコイン排出口２０６の直下に設けられたＩＣコイン受皿２０７に溜められる。
【００６１】
更にまた、遊技媒体貸与機２００の前面下部には、遊技コイン排出口２０８が設けられている。遊技者により、上述した貸出スイッチ２１２が押圧操作されることにより貸出が入力されると、遊技者により行われた貸出スイッチ２１２の入力回数に応じた所定枚数のコインが遊技コイン排出口２０８から排出され、排出されたコインは遊技コイン排出口２０８の直下に設けられた遊技コイン受皿２０９に溜められる。
【００６２】
更にまた、遊技コインの貸し出しが行われると、貸出スイッチ２１２の入力回数に応じてＩＣコインの残価値が減算され、減算された残価値が残価値表示部２１０に表示される。遊技者はこの残価値表示部２１０に表示された残価値が「０」になるまで遊技コインの貸し出しを受けることができる。
【００６３】
尚、本実施形態における遊技媒体貸与機２００では、遊技者に貸し出される遊技媒体は、スロットマシンで使用される遊技コインであるとして説明したが、本発明はこれに限らず、パチンコ遊技機で使用されるパチンコ球であるとしてもよい。
【００６４】
また、本実施形態における遊技媒体貸与機２００では、上述した遊技媒体を遊技コインやパチンコ球といった有体物が実際に払いだされることとしたが、本発明はこれに限らず、クレジット表示される遊技媒体個数を示す数値データ等であることとしてもよい。
【００６５】
［遊技媒体貸与機の内部構成］
図３は、図２に示す遊技媒体貸与機２００の側面から見た内部構成を示す説明図である。尚、図３において図２と同一の符号で示す構成部分は、同一のものとする。
【００６６】
遊技媒体貸与機２００の筐体内部には、以下に説明する数々のユニットが収納されている。
【００６７】
上述した紙幣投入口２０２の後部の筐体内部には、紙幣処理部２２２が収納されており、紙幣投入口２０２より投入された紙幣は紙幣処理部２２２にて投入された紙幣の金額が判別される。そして、投入された紙幣は紙幣処理部２２２の後部に設けられた紙幣回収部２３２に回収される。
【００６８】
また、上述した残価値表示部２１０の後部の筐体内部には、表示制御部２２４が収納されており、筐体内部に投入されたＩＣコインの残価値を残価値表示部２１０に表示させる。
【００６９】
更に、上述した貸出スイッチ２１２及び返却スイッチ２１４の後部の筐体内部には、制御部２２６が収納されており、上述した紙幣処理部２２２、表示制御部２２４、後述するＩＣコインに種々のデータの読み取りや書き込みを行うためのアンテナ２５８を含むＩＣコイン処理部２２８、遊技コイン払出部２３０等と接続され、遊技媒体貸与機２００の全体が制御される。
【００７０】
更にまた、上述したＩＣコイン投入口２０４及びＩＣコイン排出口２０６の後部の筐体内部には、ＩＣコイン処理部２２８が収納されており、通信により、投入されたＩＣコインへのデータの読み取りや書き込みが行われる。ＩＣコイン処理部２２８の後部上方には、ＩＣコイン貯留部２３４が設けられており、データが初期化され、書き込みが行われていないＩＣコインが貯留されている。ＩＣコイン処理部２２８の後部下方にはＩＣコイン回収部２３６が設けられており、遊技コインの貸し出しが行われ、残価値の無くなったＩＣコインが回収される。このＩＣコイン処理部２２８の詳細については、図４を用いて後述する。
【００７１】
更にまた、上述した遊技コイン排出口２０８の後部の筐体内部には、遊技コイン貯留部及び遊技コイン払出部２３０が収納されており、上述したＩＣコイン処理部に投入されたＩＣコインが有する残価値に基づいて、遊技機１０で行われる遊技に使用される遊技コインの貸し出しが行われる。
【００７２】
［ＩＣコイン処理部の構成］
図４は、図３に示すＩＣコイン処理部２２８の側面から見た内部構成を示す拡大説明図である。尚、図４において図３と同一の符号で示す構成部分は、同一のものとする。
【００７３】
以下、ＩＣコイン処理部２２８の構成について説明する。
【００７４】
図４に示す２４２は、ＩＣコイン投入通路である。このＩＣコイン投入通路２４２は、ＩＣコイン投入口２０４から投入されたＩＣコインを一枚ずつ受け入れ、ＩＣコインを直立状態に一枚ずつ通行させるものであり、後述する通信部２５６に向かって傾斜通路状に構成されている。
【００７５】
また、このＩＣコイン投入通路２４２は、ＩＣコインが通行する内壁面全体を電波吸収体で構成されている。即ち、ＩＣコイン投入通路２４２は、上部内壁面、下部内壁面、左部内壁面、右部内壁面、を電波吸収体で構成されている。詳しくは後述する。
【００７６】
２４４は、ＩＣコイン貯留通路である。このＩＣコイン貯留通路２４４は、上述したＩＣコイン貯留部２３４（図３参照）に貯留されているＩＣコインを一枚ずつ受け入れ、ＩＣコインを直立状態に一枚ずつ直列に貯留待機させるものであり、後述する通信部２５６に向かって傾斜通路状に構成されている。
【００７７】
２４６は、ＩＣコイン回収通路である。このＩＣコイン回収通路２４６は、後述する通信部２５６に収納されたＩＣコインを一枚ずつ受け入れ、ＩＣコインを直立状態に一枚ずつ通行させるものであり、上述したＩＣコイン回収部２３６に向かって傾斜通路状に構成されている。
【００７８】
２４８は、ＩＣコイン排出通路である。このＩＣコイン排出通路２４８は、後述する通信部２５６に収納されたＩＣコインを一枚ずつ受け入れ、ＩＣコインを直立状態に一枚ずつ通行させるものであり、上述したＩＣコイン排出口２０６に向かって傾斜通路状に構成されている。
【００７９】
また、このＩＣコイン排出通路２４８は、ＩＣコインが通行する内壁面全体を電波吸収体で構成されている。即ち、ＩＣコイン排出通路２４８は、上部内壁面、下部内壁面、左部内壁面、右部内壁面、を電波吸収体で構成されている。詳しくは後述する。
【００８０】
図４に示す、２５０は、ＩＣコイン投入口シャッタである。このＩＣコイン投入口シャッタ２５０は、遊技者にＩＣコインを一枚ずつ投入させるべく、ＩＣコイン投入口２０４を閉鎖するためのものであり、ソレノイド２７４Ａによって上下方向に駆動されることにより開閉制御が行われる。
【００８１】
また、このＩＣコイン投入口シャッタ２５０は、ＩＣコイン投入口２０４を開放している状態を常態とし、後述する如く、ＩＣコインが通信部２５６に収納されたことにより、閉鎖状態に移行し、ＩＣコインが通信部２５６において書き込みや読み取りを行う通信処理が終了したことにより、再び開放状態に移行するものである。
【００８２】
また、このＩＣコイン投入口シャッタ２５０は、ＩＣコイン投入通路２４２側の内壁面を電波吸収体で構成されている。詳しくは後述する。
【００８３】
２５２は、ＩＣコイン排出口シャッタである。このＩＣコイン排出口シャッタ２５２は、ＩＣコイン排出口２０６を閉鎖するためのものであり、ソレノイド２７４Ｂによって上下方向に駆動されることにより開閉制御が行われる。
【００８４】
また、このＩＣコイン排出口シャッタ２５２は、ＩＣコイン排出口２０６を開放している状態を常態とし、後述する如く、ＩＣコインが通信部２５６に収納されたことにより、閉鎖状態に移行し、ＩＣコインが通信部２５６において書き込みや読み取りを行う通信処理が終了したことにより、再び開放状態に移行するものである。
【００８５】
また、このＩＣコイン排出口シャッタ２５２は、ＩＣコイン排出通路２４８側の内壁面を電波吸収体で構成されている。詳しくは後述する。
【００８６】
ＩＣコイン投入口シャッタ２５０は、請求項中の「投入口開閉体」に相当するものである。また、ＩＣコイン排出口シャッタ２５２は、請求項中の「排出口開閉体」に相当する。
【００８７】
２５４は、ＩＣコイン貯留通路シャッタである。このＩＣコイン貯留通路シャッタ２５４は、複数のＩＣコインが直列に貯留されているＩＣコイン貯留通路２４４を閉鎖するためのものであり、ソレノイド２７４Ｃによって左上方向から右下方向に駆動されることにより開閉制御が行われる。
【００８８】
また、このＩＣコイン貯留通路シャッタ２５４は、ＩＣコイン貯留通路２４４を閉鎖している状態を常態とし、後述する如く、遊技者により紙幣が紙幣投入口２０２に投入されたことにより、開放状態に移行し、一枚のＩＣコインがＩＣコイン貯留通路２４４から排出されたことにより、再び閉鎖状態に移行するものである。
【００８９】
また、このＩＣコイン貯留通路シャッタ２５４は、通信部２５６の上方に位置し、通信部２５６側の内壁面を電波吸収体で構成されている。詳しくは後述する。
【００９０】
２５６は、通信部である。この通信部２５６には、非接触でＩＣコインと通信可能にするためのアンテナ２５８が設けられている。上述したＩＣコイン投入通路２４２及びＩＣコイン貯留通路２４４から案内されたＩＣコインは、この通信部２５６に収納され、アンテナ２５８により、価値データ、残価値データ、管理データ等の種々のデータの書き込みや読み取りが非接触通信で行われる。
【００９１】
また、この通信部２５６は、ＩＣコインが収納される内壁全体を電波吸収体で構成されている。即ち、通信部２５６は、左部内壁面、右部内壁面、後部内壁面を電波吸収体で構成されている。また、左部内壁面にはアンテナ２５８が設けられ、通信部２５６に収納されたＩＣコインと非接触による通信が行われる。詳しくは後述する。
【００９２】
２６０は、ＩＣコインセンサである。このＩＣコインセンサ２６０は、通信部２５６の上方に設けられ、上述したＩＣコイン投入通路２４２又はＩＣコイン貯留通路２４４により案内されたＩＣコインが通信部２５６に収納されたことが検知される。
【００９３】
２６２は、ＩＣコインストッパーである。このＩＣコインストッパー２６２は、通信部２５６に収納されたＩＣコインを支持するためのものであり、アンテナ２５８により種々のデータの書き込みや読みだしが行われる間、ＩＣコインが通信部２５６から逸脱することを防止可能な位置に設けられる。このＩＣコインストッパー２６２は、ソレノイド２７４Ｄによって上下方向に駆動されることにより支持及び解除制御が行われる。
【００９４】
また、このＩＣコインストッパー２６２は、解除状態を常態とし、後述する如く、ＩＣコインが通信部２５６に収納されたことにより、支持状態に移行し、ＩＣコインが通信部２５６において書き込みや読み取りを行う通信処理が終了したことにより、再び解除状態に移行するものである。
【００９５】
２６４は、ＩＣコイン押出部である。このＩＣコイン押出部２６４は、遊技者により返却スイッチ２１４が押圧操作され、返却入力が行われたことに基づいて、通信部２５６に収納されているＩＣコインをＩＣコイン排出通路２４８へと導くべく押し出し動作を行うためのものであり、ソレノイド２７４Ｅによって前後方向に駆動されることにより押し出し制御が行われる。
【００９６】
２６６は、ＩＣコイン回収通路シャッタである。このＩＣコイン回収通路シャッタ２６６は、遊技者により貸出スイッチ２１２が押圧操作され、貸出入力が行われたことに基づいて、遊技コインの払出しが行われ、ＩＣコインに残価値データが無くなった場合に、この残価値データが無くなったＩＣコインを通信部２５６からＩＣコイン回収通路２４６を介してＩＣコイン回収部２３６へと導くべく開閉動作を行うためのものであり、ソレノイド２７４Ｆによって前後方向に駆動されることにより開閉制御が行われる。
【００９７】
また、このＩＣコイン回収通路シャッタ２６６は、ＩＣコイン回収通路２４６を閉鎖している状態を常態とし、後述する如く、通信部２５６において収納されたＩＣコインに残価値が無くなったと判別されたことにより、開放状態に移行し、ＩＣコインがＩＣコイン回収通路２４６から排出されたことにより、再び閉鎖状態に移行するものである。
【００９８】
また、このＩＣコイン回収通路シャッタ２６６は、通信部２５６側の壁面を電波吸収体で構成されている。詳しくは、後述する。
【００９９】
尚、本実施形態における遊技媒体貸与機２００のＩＣコイン処理部２２８の内部構成は、上述した如く構成することとしたが、本発明はこれに限らず、以下のように構成することとしてもよい。
【０１００】
図５は、図３に示すＩＣコイン処理部２２８の側面から見た内部構成を示す拡大説明図である。尚、図５において図３と同一の符号で示す構成部分は、同一のものとする。尚、図５は、図４とは異なる構成例を示すものである。
【０１０１】
図５においては、図４におけるＩＣコイン投入口シャッタ２５０、ＩＣコイン排出口シャッタ２５２、ＩＣコインストッパー２６２を設ける構成とはせず、代わりに、通信部第一シャッタ２７０、通信部第二シャッタ２７２を設ける構成とする。
【０１０２】
通信部第一シャッタ２７０は、図５に示す如く、通信部２５６の上部に設けられ、通信部２５６にＩＣコインを一枚ずつ導くためのものであり、ソレノイド２７４Ｇによって前後方向に駆動されることにより開閉制御が行われる。
【０１０３】
また、通信部第一シャッタ２７０を上述した位置に設けることにより、ＩＣコイン投入通路２４２に複数のＩＣコインを直列に貯留させることが可能となる。
【０１０４】
更に、この通信部第一シャッタ２７０は、通信部２５６の上方を開放している状態を常態とし、後述する如く、ＩＣコインが通信部２５６に収納されたことにより、閉鎖状態に移行し、ＩＣコインが通信部２５６において書き込みや読み取りを行う通信処理が終了したことにより、再び開放状態に移行するものである。
【０１０５】
更にまた、この通信部第一シャッタ２７０は、通信部２５６側の内壁面を電波吸収体で構成されている。詳しくは、後述する。
【０１０６】
通信部第二シャッタ２７２は、図５に示す如く、通信部２５６の前方部であって、ＩＣコイン排出通路２４８の入口付近に設けられ、通信部２５６に収納されたＩＣコインを支持するためのものであり、ソレノイド２７４Ｈによって上下方向に駆動されることにより開閉制御が行われる。
【０１０７】
また、この通信部第二シャッタ２７２は、通信部２５６の左方を開放している状態を常態とし、後述する如く、ＩＣコインが通信部２５６に収納されたことにより、閉鎖状態に移行し、ＩＣコインが通信部２５６において書き込みや読み取りを行う通信処理が終了したことにより、再び開放状態に移行するものである。
【０１０８】
また、この通信部第二シャッタ２７２は、通信部２５６側の内壁面を電波吸収体で構成されている。詳しくは後述する。
【０１０９】
［電波吸収体の構成］
図６は、ＩＣコイン処理部２２８において、電波吸収体で構成される内壁面を示す概略図である。
【０１１０】
図４に示す如く、電波吸収体で構成される部分は、大別すると、ＩＣコイン投入通路２４２とＩＣコイン排出通路２４８の２つの通路部の内壁面、通信部２５６の内壁面、及び、ＩＣコイン投入口シャッタ２５０、ＩＣコイン排出口シャッタ２５２を含む４つのシャッタ部の内壁面である。
【０１１１】
具体的には、上述した如く、ＩＣコイン投入通路２４２の内壁面、ＩＣコイン排出通路２４８の内壁面、通信部２５６の内壁面、ＩＣコイン投入口シャッタ２５０のＩＣコイン投入通路２４２側の内壁面、ＩＣコイン排出口シャッタ２５２のＩＣコイン排出通路２４８側の内壁面、ＩＣコイン貯留通路シャッタ２５４の通信部２５６側の内壁面、及び、ＩＣコイン回収通路シャッタ２６６の通信部２５６側の内壁面である。
【０１１２】
このように、２つの通路部、通信部２５６、及び、４つのシャッタ部の内壁面を電波吸収体で構成することにより、図４において斜線で示した部分が一つの電波吸収体空間として構成されることとなる。
【０１１３】
これにより、通信によりＩＣコインにデータの読み取りや書き込みを行う場合に使用される無線電波、及び、携帯電話等の遊技媒体貸与機周辺の電磁波が電波吸収体により吸収され、外部に漏洩する電波を利用してＩＣコインにデータの不正書き込み等を行う不正行為を防止し、かつ、故意に電波を発信しデータの書き込みや読み取りの誤作動を発生させる不正行為を防止することが期待できる。
【０１１４】
尚、本実施形態における遊技媒体貸与機２００のＩＣコイン処理部２２８においては、図４に示す如く、電波吸収体で構成される部分は、ＩＣコイン投入通路２４２とＩＣコイン排出通路２４８の２つの通路部の内壁面、通信部２５６の内壁面、及び、ＩＣコイン投入口シャッタ２５０、ＩＣコイン排出口シャッタ２５２を含む４つのシャッタ部の内壁面であるとしたが、本発明はこれに限らず、図５に示す如く、通信部２５６の内壁面、通信部第一シャッタ２７０の通信部２５６側の内壁面、通信部第二シャッタ２７２の通信部２５６側の内壁面、及び、ＩＣコイン回収通路シャッタ２６６の通信部２５６側の内壁面であるとしてもよい。図６においては、図中の斜線で示した部分が一つの電波吸収体空間として構成されることとなる。
【０１１５】
これにより、通信によりＩＣコインにデータの読み取りや書き込みを行う場合に使用される無線電波が電波吸収体により吸収され、遊技媒体貸与機内から外部に漏れることなく、外部に漏れる電波を利用してＩＣコインにデータの書き込みを行う等の不正行為を防止することができる。
【０１１６】
また、無線電波の発信源であり、通信を行うためにＩＣコインを収容する収容部の内壁を電波吸収体により構成することにより、必要最低限の範囲で、電波を吸収でき、遊技媒体貸与機内から外部に漏れることなく、外部に漏れる電波を利用してＩＣコインにデータの書き込みを行う等の不正行為を防止することが期待できる。更に、電波吸収体をより小さい面積で構成し、コストを低減することも期待できる。
【０１１７】
一方、遊技媒体貸与機２００内で、非接触通信によりＩＣコインに種々のデータの書き込みや読み取りを行う際に発せられる電磁波の周波数は、一般に、４．９１ＭＨｚ帯域又は１３．５６ＭＨｚ帯域の周波数が用いられている。また、遊技媒体貸与機２００外で、例えば、遊技者等が携帯電話、ノートパソコン、ＰＤＡ等のデジタル携帯機器を使用することにより発せられる電磁波の周波数は、一般に、２．４５ＧＨｚ帯域の周波数が用いられていることが多い。
【０１１８】
そこで、本発明における電波吸収体は、非接触通信によりＩＣコインに種々のデータの書き込みや読み取りを行う際に発せられる電磁波を外部へと漏洩させず、かつ、携帯電話等から発せられる外部からの電磁波の侵入を阻止するべく、比較的広い高周波数帯域に渡る電磁波を吸収可能な電波吸収体であることが好ましい。
【０１１９】
以下、本実施形態における電波吸収体の構成例について記載する。
【０１２０】
本実施形態で使用される電波吸収体は、高分子材料等の絶縁体中に磁性粉末または軟磁性金属粉末を分散含有し、その磁気損失を利用して電波を減衰させることで不要電波の除去を行う電波吸収材で構成されている。
【０１２１】
上記電波吸収体を構成する材質としては、ゴム系材料、ＡＢＳ樹脂、熱可塑性樹脂、熱硬化性樹脂、光硬化性樹脂、或いは、コンクリート、セラミック等の高分子材料中に、Ｆｅ、Ｃｏ等の、磁性粉末又は軟磁性金属粉末等の磁性材料を所定の比率で配合した複合材が使用されており、通常、射出成形法、圧延法、熱間プレス成型法等により作製される。
【０１２２】
この電波吸収体を電波吸収シートとして作製する場合には、例えば、上述したＦｅ、Ｃｏ等の磁性粉末を、上述したゴム系材料、ＡＢＳ樹脂等の高分子材料に分散させ、混練してペースト状の試料を生成し、これを所定の厚さに調整してシート状に加工する。
【０１２３】
また、この電波吸収体は、シート状に限らず、様々な形状をとり得、例えば、磁性層を形成するための材料を、ペースト状として用意しておいてもよい。
【０１２４】
ペースト状の材料を得る場合は、例えば、上述したＦｅ、Ｃｏ等の磁性粉末を、上述した熱可塑性樹脂、熱硬化性樹脂、光硬化性樹脂等の高分子材料に分散させ、混練して、流動性を有するように調整して生成する。このとき、流動性を高くして生成した場合は、目的の構造物の表面に噴霧器によって吹き付ける、あるいはハケ等で塗布するといった塗装による方法や、射出成形等の方法で磁性層を形成してもよい。これによって、高周波の電磁波に対して良好な吸収性能を有する電波吸収体を、設置方法に応じて容易にさまざまな形状に形成することが可能となる。
【０１２５】
このようなペースト状の材料による電波吸収体の適用例として、電波暗室等に使用されるピラミッド形電波吸収体を挙げる。図６に、ピラミッド形電波吸収体の構造を示す。このピラミッド形電波吸収体２８０では、銅板等の導体２８２の表面に、複数の立体的なピラミッド形状をなす磁性層２８４を設けることによって、電波吸収体が構成されている。この磁性層２８４は、上述した方法によって生成されたペースト状の材料を用いて射出成形を行うことによって形成される。
【０１２６】
このようなピラミッド形電波吸収体２８０では、その形状からピラミッド形状の頂点から底部にかけて吸収特性が徐々に変化していると考えられることから、広い周波数範囲の電磁波について吸収性能を有し、かつ、磁性層として上記の材料を用いることにより、より高周波の電磁波に対しても良好な吸収性能を持たせることができる。
【０１２７】
尚、ピラミッド形電波吸収体２８０では、磁性層２８４のピラミッド形状は図６に示すような四角錐形の形状に限らず、この他に円錐形や櫛形等も適用可能である。
【０１２８】
尚、本実施形態においては、電波吸収体を上述した材料を用いることとしたが、本発明はこれに限らず、他の材料を用いることとしてもよく、非接触通信によりＩＣコインに種々のデータの書き込みや読み取りを行う際に発せられる電磁波を外部へと漏洩させず、かつ、携帯電話等から発せられる外部からの電磁波の侵入を阻止するべく、広い高周波数帯域に渡る電磁波を吸収可能な電波吸収体として構成されるものである。
【０１２９】
また、非接触通信によりＩＣコインに種々のデータの書き込みや読み取りを行う際に発せられる電磁波、又は、携帯電話等から発せられる外部からの電磁波の何れか一方の電磁波を吸収可能な電波吸収体であってもよく、また、非接触通信によりＩＣコインに種々のデータの書き込みや読み取りを行う際に発せられる電磁波を吸収可能な電波吸収体、及び、携帯電話等から発せられる外部からの電磁波を吸収可能な電波吸収体を積層することにより、広い高周波数帯域に渡る電磁波を吸収可能な電波吸収体として構成されることとしてもよい。
【０１３０】
このように、ＩＣコインを媒介として遊技媒体を貸し出す遊技媒体貸与機は、「通信によりデータの読み取り又は書き込みの少なくとも何れか一方を可能とするＩＣコインを投入するための投入口と、ＩＣコインを排出するための排出口と、前記投入口から前記排出口へと至るＩＣコイン通路と、前記ＩＣコイン通路に設けられ、前記ＩＣコイン通路を通行するＩＣコインに対し、通信によりデータの読み取り又は書き込みの少なくとも何れかを行うための通信手段と、を備え、前記ＩＣコイン通路の内壁に電波吸収体を設けてなる」ので、通信によりＩＣコインにデータの読み取りや書き込みを行う場合に使用される無線電波が電波吸収体により吸収され、遊技媒体貸与機内から外部に漏洩することがなく、外部に漏洩する電波を利用してＩＣコインにデータの不正書き込み等を行う不正行為を防止することができる。
【０１３１】
また、携帯電話等の遊技媒体貸与機周辺の電磁波の外乱により、非接触通信で行われるデータの読み取りや書き込み処理の誤作動を防止することが期待できると共に、故意に電波を発信しデータの書き込みや読み取りの誤作動を発生させる不正行為を防止することが期待できる。
【０１３２】
［遊技媒体貸与機の制御部の構成］
遊技媒体貸与機２００を制御する制御回路と、これに電気的に接続されている周辺装置とを含む回路構成を示すブロック図を図７に示す。
【０１３３】
主制御回路３００は、予め設定されたプログラムに従って制御動作を行う中央処理回路（以下、ＣＰＵと称する）３２６と、記憶手段であるＲＯＭ（リード・オンリー・メモリ）３２８及びＲＡＭ（ランダム・アクセス・メモリ）３３０とを含むものである。
【０１３４】
ＣＰＵ３２６は、請求項中の通信手段の一部を構成するものに相当する。
【０１３５】
また、ＲＯＭ３２８は、請求項中の通信手段の一部を構成するものに相当する。
【０１３６】
更に、ＲＡＭ３３０は、請求項中の通信手段の一部を構成するものに相当する。
【０１３７】
この主制御回路３００には、後述する如く、インターフェイス回路群３０２、入出力バス３０４が備えられている。
【０１３８】
また、ＣＰＵ３２６には、入出力バス３０４を介して、データ信号又はアドレス信号の入出力が行われるものである。
【０１３９】
上述した紙幣投入口２０２は、主制御回路３００のインターフェイス回路群３０２に接続され、インターフェイス回路群３０２は、入出力バス３０４に接続されている。遊技者により紙幣が投入されることに応じて紙幣投入口２０２から発せられた投入検知信号は、インターフェイス回路群３０２において所定の信号に変換された後、入出力バス３０４に供給される。入出力バス３０４は、ＣＰＵ３２６にデータ信号又はアドレス信号が入出力されるようになされている。
【０１４０】
また、上述したインターフェイス回路群３０２には、ＩＣコイン投入口２０４も接続されている。遊技者によりＩＣコインが投入されることに応じてＩＣコイン投入口２０４から発せられた投入検知信号は、インターフェイス回路群３０２において所定の信号に変換された後、入出力バス３０４に供給される。
【０１４１】
更に、インターフェイス回路群３０２には、貸出スイッチ２１２及び返却スイッチ２１４も接続されている。これらのスイッチから発せられる信号もインターフェイス回路群３０２に供給され、所定の信号に変換された後、入出力バス３０４に供給される。
【０１４２】
更にまた、インターフェイス回路群３０２には、上述したＩＣコインセンサ２６０も接続されている。ＩＣコインが通信部２５６に収納されたことに応じてＩＣコインセンサ２６０から発せられた収納検知信号は、インターフェイス回路群３０２において所定の信号に変換された後、入出力バス３０４に供給される。
【０１４３】
更にまた、上述した入出力バス３０４には、ＲＯＭ３２８及びＲＡＭ３３０も接続されている。ＲＯＭ３２８は、遊技媒体貸与機２００で行われるＩＣコインに種々のデータの読み取りや書き込みを行う通信処理を制御するための制御プログラム等を実行するための初期データ等を記憶する。
【０１４４】
ＲＡＭ３３０は、上述した制御プログラムで使用するフラグや変数の値を一時的に記憶する。
【０１４５】
入出力バス３０４には、紙幣処理部２２２も接続されており、ＣＰＵ３２６は、紙幣投入口２０２から供給された投入検知信号に応じて、紙幣処理部２２２に所定の信号及び駆動電力を供給する。これにより、紙幣投入口２０２より投入された紙幣の金額や紙幣の真偽が判別される。
【０１４６】
また、入出力バス３０４には、残価値表示部２１０におけるＩＣコインの残価値の表示を制御するための表示制御部２２４も接続されており、ＣＰＵ３２６は、後述するアンテナ２５８によりＩＣコインに種々のデータの読み取りや書き込みを行う通信処理に基づいて、表示制御部２２４に所定の信号及び駆動電力を供給し、残価値表示部２１０にＩＣコインの残価値を表示させる。
【０１４７】
更に、入出力バス３０４には、通信部２５６に含まれるアンテナ２５８も接続されており、ＣＰＵ３２６は、アンテナ２５８に所定の信号及び駆動電力を供給し、ＩＣコインに種々のデータの読み取りや書き込みを非接触通信により行う。このアンテナ２５８により読み取りや書き込みがされるデータは、価値データ、暗号データ、日付データ、店名データ、書き込み回数データ等が含まれる。
【０１４８】
更にまた、入出力バス３０４には、ソレノイド２７４Ａ〜Ｈも接続されており、ＣＰＵ３２６は、後述するアンテナ２５８によりＩＣコインに種々のデータの読み取りや書き込みを行う通信処理に基づいて、ソレノイド２７４Ａ〜Ｈの各々を制御すべく駆動信号や駆動電力を供給する。
【０１４９】
図５に示す如く、ソレノイド２７４Ａは、ＩＣコイン投入口シャッタ２５０を開閉駆動するためのものであり、ソレノイド２７４Ｂは、ＩＣコイン排出口シャッタ２５２を開閉駆動するためのものであり、ソレノイド２７４Ｃは、ＩＣコイン貯留通路シャッタ２５４を開閉駆動するためのものであり、ソレノイド２７４Ｄは、ＩＣコインストッパー２６２を駆動するためのものであり、ソレノイド２７４Ｅは、ＩＣコイン押出部２６４を駆動するためのものであり、ソレノイド２７４Ｆは、ＩＣコイン回収通路シャッタ２６６を開閉駆動するためのものである。また、図５に示す如く、ソレノイド２７４Ｇは、通信部第一シャッタ２７０を開閉駆動するためのものであり、ソレノイド２７４Ｈは、通信部第二シャッタ２７２を開閉駆動するためのものである。
【０１５０】
更にまた、入出力バス３０４には、遊技コイン払出部２３０も接続されており、ＣＰＵ３２６は、上述した如く、遊技者の押圧操作により貸出スイッチ２１２から貸出信号が発せられたことに応じて、駆動信号及び駆動電力を遊技コイン払出部２３０に供給し、駆動させるのである。
【０１５１】
更にまた、入出力バス３０４には、通信用インターフェイス回路３３２が接続されており、公衆電話回線網やローカルエリアネットワーク（ＬＡＮ）等の通信回線を介して、サーバ４３０等との通信を行うためのものである。
【０１５２】
［遊技媒体貸与機の動作］
上述した遊技媒体貸与機２００の主制御回路３００において実行される遊技媒体貸与機２００を制御するサブルーチンを図８に示す。尚、図８に示すサブルーチンは、予め実行されている遊技媒体貸与機２００のメインプログラムから所定のタイミングで呼び出されて実行されるものである。
【０１５３】
以下においては、遊技媒体貸与機２００は予め起動されており、上述したＣＰＵ３２６において用いられる変数は所定の値に初期化され、定常動作しているものとする。
【０１５４】
［ＩＣコイン通信処理］
図８は、遊技媒体貸与機２００で行われるＩＣコイン通信処理を示すサブルーチンである。
【０１５５】
最初に、ＩＣコインが収納されたか否かを判断する（ステップＳ１１）。この処理において、ＣＰＵ３２６は、遊技者により、ＩＣコインがＩＣコイン投入口２０４から投入されることによりＩＣコイン投入通路２４２から導かれたＩＣコイン、若しくは、遊技者により、紙幣が紙幣投入口２０２から投入されたことに応じて、ソレノイド２７４Ｃに所定の信号及び電力を供給し、ＩＣコイン貯留通路シャッタ２５４を開放制御することにより、ＩＣコイン貯留通路２４４から導かれたＩＣコイン、が通信部２５６上部に設けられたＩＣコインセンサ２６０の近傍を通過して通信部２５６に収納されたか否かを判断する。具体的には、ＣＰＵ３２６は、ＩＣコインセンサ２６０から収納検知信号が発せられたか否かを判断する。ＣＰＵ３２６は、ＩＣコインセンサ２６０から収納検知信号が発せられたと判別した場合には、ステップＳ１２に処理を移し、ＩＣコインセンサ２６０から収納検知信号が発せられないと判別した場合には、再びステップＳ１１に処理を移し、ＩＣコインセンサ２６０から収納検知信号が発せられたか否かを判断する。
【０１５６】
次いで、ＩＣコイン投入口２０４及びＩＣコイン排出口２０６を閉鎖する処理を行う（ステップＳ１２）。この処理において、ＣＰＵ３２６は、入出力バス３０４を介して、ソレノイド２７４Ａに駆動信号及び駆動電力を供給し、ＩＣコイン投入口シャッタ２５０を閉鎖制御する処理を行う。また、同様に、ＣＰＵ３２６は、入出力バス３０４を介して、ソレノイド２７４Ｂに駆動信号及び駆動電力を供給し、ＩＣコイン排出口シャッタ２５２を閉鎖制御する処理を行う。この処理が終了した場合には、ステップＳ１３に処理を移す。
【０１５７】
次いで、ＩＣコインは有効であるか否かを判断する（ステップＳ１３）。この処理において、ＣＰＵ３２６は、入出力バス３０４を介して、アンテナ２５８に駆動信号及び駆動電力を供給し、アンテナ２５８を読み取り態様（受信態様）に切換え、通信部２５６に収納されたＩＣコインに記録されているデータが正常か否かを判断する。ＣＰＵ３２６は、ＩＣコインに記録されているデータが正常であると判別した場合には、ステップＳ１４に処理を移し、ＩＣコインに記録されているデータが異常であると判別した場合には、ステップＳ１５に処理を移す。
【０１５８】
次いで、上述したステップＳ１３の処理において、ＩＣコインに記録されているデータが正常であると判別した場合には、貸出入力が有ったか否かを判断する（ステップＳ１４）。この処理において、ＣＰＵ３２６は、遊技者により貸出スイッチ２１２が押圧操作されたことに応じて、貸出スイッチ２１２から貸出入力信号が発せられたか否かを判断する。ＣＰＵ３２６は、インターフェイス回路群３０２を介して、貸出スイッチ２１２から貸出入力信号が発せられたと判別した場合には、遊技コインの払出しを行うべく、遊技コイン払出部２３０を駆動させるための駆動信号及び駆動電力を入出力バス３０４を介して遊技コイン払出部２３０に供給し、ステップＳ１６に処理を移す。一方、貸出スイッチ２１２から貸出入力信号が発せられていないと判別した場合には、ステップＳ１８に処理を移す。
【０１５９】
一方、上述したステップＳ１３の処理において、ＩＣコインに記録されているデータが正常であると判別した場合には、ＩＣコイン回収処理を行う（ステップＳ１５）。この処理において、ＣＰＵ３２６は、入出力バス３０４を介して、ソレノイド２７４Ｆに駆動信号及び駆動電力を供給し、ＩＣコイン回収通路シャッタ２６６を開放制御する処理を行う。これにより、ＩＣコインは、ＩＣコイン回収通路２４６に導かれ、ＩＣコイン回収部２３６に回収される。この処理が終了した場合には、直ちに本サブルーチンを終了させる。
【０１６０】
一方、上述したステップＳ１４の処理において、貸出スイッチ２１２から貸出入力信号が発せられたと判別した場合には、価値データ書込処理を行う（ステップＳ１６）。この処理において、ＣＰＵ３２６は、入出力バス３０４を介して、アンテナ２５８に駆動信号及び駆動電力を供給し、アンテナ２５８を読み取り態様（受信態様）に切換え、通信部２５６に収納されたＩＣコインに記録されている価値データを読み出し、その読み出した価値データから、遊技者の操作による貸出入力回数に応じた価値データを減算し、アンテナ２５８を書き込み態様（発信態様）に切換え、減算した価値データを再びＩＣコインに記録する。尚、遊技者により紙幣投入口２０２に紙幣が投入されている場合には、ＣＰＵ３２６は、入出力バス３０４を介して、アンテナ２５８に駆動信号及び駆動電力を供給し、アンテナ２５８を書き込み態様（発信態様）に切換え、その投入された紙幣の金額に応じた価値データを予め書き込む処理を行い、遊技者の操作による貸出入力回数に応じた価値データを減算し、減算した価値データを再びＩＣコインに記録する。この処理が終了した場合には、ステップＳ１７に処理を移す。
【０１６１】
次いで、ＩＣコインに残価値データが有るか否かを判断する（ステップＳ１７）。この処理において、ＣＰＵ３２６は、入出力バス３０４を介して、アンテナ２５８に駆動信号及び駆動電力を供給し、アンテナ２５８を読み取り態様（受信態様）に切換え、通信部２５６に収納されたＩＣコインに記録されている価値データに価値データが残っているか否かを判断する。ＣＰＵ３２６は、ＩＣコインに記録されている価値データに価値データが残っていると判別した場合には、ステップＳ１８に処理を移し、ＩＣコインに記録されている価値データに価値データが残っていないと判別した場合には、ステップＳ１５に処理を移す。
【０１６２】
次いで、返却入力が有ったか否かを判断する（ステップＳ１８）。この処理において、ＣＰＵ３２６は、遊技者により返却スイッチ２１４が押圧操作されたことに応じて、返却スイッチ２１４から返却入力信号が発せられたか否かを判断する。ＣＰＵ３２６は、インターフェイス回路群３０２を介して、返却スイッチ２１４から返却入力信号が発せられたと判別した場合には、ステップＳ１９に処理を移し、返却スイッチ２１４から返却入力信号が発せられていないと判別した場合には、ステップＳ１４に処理を移す。
【０１６３】
次いで、ＩＣコイン排出処理を行う（ステップＳ１９）。この処理において、ＣＰＵ３２６は、入出力バス３０４を介して、ソレノイド２７４Ｄに駆動信号及び駆動電力を供給し、ＩＣコインストッパー２６２を解除制御する処理を行う。また、同様に、ＣＰＵ３２６は、入出力バス３０４を介して、ソレノイド２７４Ｂに駆動信号及び駆動電力を供給し、ＩＣコイン排出口シャッタ２５２を開放制御する処理を行う。更に、同様に、ＣＰＵ３２６は、入出力バス３０４を介して、ソレノイド２７４Ｅに駆動信号及び駆動電力を供給し、ＩＣコイン押出部２６４を押出制御する処理を行う。これにより、通信部２５６に収納されたＩＣコインがＩＣコイン排出通路２４８方向に押し出され、ＩＣコイン排出通路２４８を介して、ＩＣコイン受皿２０７に排出される。以上の処理が終了した場合には、直ちに本サブルーチンを終了させる。
【０１６４】
このように、ＩＣコインを媒介として遊技媒体を貸し出す遊技媒体貸与機は、「通信によりデータの読み取り又は書き込みの少なくとも何れか一方を可能とするＩＣコインを投入するための投入口と、ＩＣコインを排出するための排出口と、前記投入口から前記排出口へと至るＩＣコイン通路と、前記ＩＣコイン通路に設けられ、前記ＩＣコイン通路を通行するＩＣコインに対し、通信によりデータの読み取り又は書き込みの少なくとも何れかを行うための通信手段と、を備え、前記ＩＣコイン通路の内壁に電波吸収体を設けて」構成するので、ステップＳ１３、ステップＳ１６、ステップＳ１７で行われる通信処理において、通信によりＩＣコインにデータの読み取りや書き込みを行う場合に使用される無線電波が電波吸収体により吸収され、遊技媒体貸与機内から外部に漏洩することを防止することができる。また、携帯電話等の遊技媒体貸与機周辺の電磁波の外乱により、非接触通信で行われるデータの読み取りや書き込み処理の誤作動を防止することが期待できると共に、故意に電波を発信しデータの書き込みや読み取りの誤作動を発生させる不正行為を防止することが期待できる。
【０１６５】
尚、上述した実施形態においては、ＩＣコインにおいて通信が行われる周囲の内壁を電波吸収体として構成する例を、ＩＣコインをパチンコ球や遊技コイン等の貸与を受けるための「貸与用媒体」として設定する遊技媒体貸与機２００に適用する場合について説明したが、本発明はこれに限らず、ＩＣコインをスロットマシンやメダル遊技機等で使用される「遊技用媒体」として設定する遊技コインを使用する遊技機に適用することとしてもよく、「貸与用媒体」や「遊技用媒体」といった用途に囚われず、ＩＣコインを使用する機器であれば、如何なる機器に適用されることとしてもよい。
【０１６６】
以下、図２、図９、図１０を用いて、ＩＣコインにおいて通信が行われる周囲の内壁を電波吸収体として構成する例を、ＩＣコインを「遊技用媒体」として設定する遊技機１０に適用する場合について説明する。
【０１６７】
≪第二の実施形態≫
［遊技機の構成］
本発明の一実施形態である遊技機１０の概観を示す斜視図を図２に示す。
【０１６８】
遊技機１０は、図２に示す如く、本体筐体１２（以下、単に筺体１２という。）と、メインドア５０と、を備えている。
【０１６９】
この筐体１２は、遊技者を臨む位置が開放されている凹部を有しており、遊技場の所定の場所に固設される。筐体１２の凹部には、後述する如く、遊技者を臨む位置に回動可能に配置された３個のリール２６Ｌ、２６Ｃ、２６Ｒや、遊技機１０を電気的に制御するための主制御回路３００や、遊技用ＩＣコインの投入、貯留、払出を制御するためのホッパー５８、遊技用ＩＣコインに管理データ等の種々のデータの読み取りや書き込みを行うＩＣコイン処理部５２が設けられている。
【０１７０】
また、メインドア５０は、筺体１２の凹部を外側に露呈しないように覆うこととなる。また、メインドア５０は、図９に示す如く、筐体１２の凹部を開閉可能なように、正面から見て左側で筺体１２と軸着されており、その軸着された部分を中心として回動自在となっている。
【０１７１】
メインドア５０の略中央には、略垂直に形成された縦長矩形の３つの表示窓１４Ｌ、１４Ｃ、１４Ｒが設けられている。これらの表示窓１４Ｌ、１４Ｃ、１４Ｒには、５本の入賞ライン、即ち、水平に３本（中央Ｌ１、上下Ｌ２Ａ、Ｌ２Ｂ）、及び斜めに２本（斜め右下がりＬ３Ａ、斜め右上がりＬ３Ｂ）の入賞ラインが設けられている。これらの入賞ラインＬ１、Ｌ２Ａ、Ｌ２Ｂ、Ｌ３Ａ及びＬ３Ｂの左端部と右端部とには、投入された遊技用ＩＣコイン（以下、単にＩＣコインと称する）の枚数により有効となった入賞ライン（以下、有効ラインと称する）と、ＩＣコインの賭け枚数と、を表示するための賭け枚数表示部１８が、上から順に「３」、「２」、「１」、「２」、「３」の如く設けられている。
【０１７２】
筐体１２の内部には、各々の外周面に複数種類の図柄が描かれた３個のリール２６Ｌ、２６Ｃ、２６Ｒが回転自在に設けられている。これらのリール２６Ｌ、２６Ｃ、２６Ｒの各々は、上述した表示窓１４Ｌ、１４Ｃ、１４Ｒを介して視認可能に設けられている。後述する如く、リール２６Ｌ、２６Ｃ、２６Ｒは、表示窓１４Ｌ、１４Ｃ、１４Ｒにおいて、リール２６Ｌ、２６Ｃ、２６Ｒの外周面に描かれた図柄が上から下に向かって移動するように回転駆動される。
【０１７３】
後述する１−ＢＥＴスイッチ２０を遊技者が操作したときには、５本の入賞ラインのうちの１本、例えば入賞ラインＬ１を有効化し、２−ＢＥＴスイッチ２２を操作したときには、５本の入賞ラインのうちの３本、例えば入賞ラインＬ１、Ｌ２Ａ及びＬ２Ｂを有効化し、最大ＢＥＴスイッチ２４を操作したときには、５本の入賞ラインの全て、即ちＬ１、Ｌ２Ａ、Ｌ２Ｂ、Ｌ３Ａ及びＬ３Ｂを有効化する。有効化された入賞ラインは、賭け枚数表示部１８の背面に設けられている有効ライン表示ランプ（図示せず）を点灯することにより明示される。
【０１７４】
また、上述した表示窓１４Ｌ、１４Ｃ、１４Ｒの下方には、略水平の台座部２８が設けられており、その中央には液晶ディスプレイパネルからなる表示装置３０が設けられている。この表示装置３０においては、遊技履歴が表示されたり、ボーナスゲームにおける画像演出等が行われる。
【０１７５】
表示装置３０の右側には、遊技機１０にＩＣコインを投入するためのＩＣコイン投入口３１が設けられている。投入されたＩＣコインは、後述するＩＣコイン処理部５２における通信部７８に収納され、種々のデータの読み取りや書き込みが通信により行われる。
【０１７６】
上述した如く、表示装置３０の左側には、１回の押動操作により、既に投入されているＩＣコインのうちの１枚だけを遊技の賭けの対象とするための１−ＢＥＴスイッチ２０と、既に投入されているＩＣコインのうちの２枚だけを遊技の賭けの対象とするための２−ＢＥＴスイッチ２２と、既に投入されているＩＣコインのうち１回の遊技に可能な最大枚数のＩＣコインを遊技の賭けの対象とするための最大ＢＥＴスイッチ２４とが設けられている。これらのＢＥＴスイッチ２０、２２又は２４を押動操作することで、押動操作されたＢＥＴスイッチに応じて上述した入賞ラインが有効化されることとなる。
【０１７７】
台座部２８の前面の左側には、スタートレバー３２が傾動可能に設けられている。このスタートレバー３２を遊技者が傾動操作することにより、上述した３つのリール２６Ｌ、２６Ｃ、２６Ｒの回転が一斉に開始される。３つのリール２６Ｌ、２６Ｃ、２６Ｒが回転したときには、リール２６Ｌ、２６Ｃ、２６Ｒの各々の外周面に描かれている図柄が、表示窓１４Ｌ、１４Ｃ、１４Ｒの各々において変動表示されることとなる。
【０１７８】
上述した３つのリール２６Ｌ、２６Ｃ、２６Ｒの回転速度が一定の速度に達したときには後述する停止スイッチ３４Ｌ、３４Ｃ、３４Ｒの遊技者による操作が有効となる。
【０１７９】
台座部２８の前面の中央には、３個の停止スイッチ３４Ｌ、３４Ｃ、３４Ｒが設けられている。停止スイッチ３４Ｌはリール２６Ｌに対応し、停止スイッチ３４Ｃはリール２６Ｃに対応し、停止スイッチ３４Ｒはリール２６Ｒに対応している。停止スイッチ３４Ｌを遊技者が押動操作したときには、リール２６Ｌが停止し、停止スイッチ３４Ｃを遊技者が押動操作したときには、リール２６Ｃが停止し、停止スイッチ３４Ｒを遊技者が押動操作したときには、リール２６Ｒが停止するようになされている。
【０１８０】
リール２６Ｌ、リール２６Ｃ、リール２６Ｒが停止するときには、リール２６Ｌ、リール２６Ｃ、リール２６Ｒの各々の外周面に描かれている図柄が上述した入賞ラインＬ１、Ｌ２Ａ、Ｌ２Ｂ、Ｌ３Ａ及びＬ３Ｂに位置付けられて停止表示されるように制御される。
【０１８１】
スタートレバー３２の左側には、払出スイッチ３６が設けられている。遊技者が払出スイッチ３６を押動操作したときには、投入されているＩＣコインが正面下部のＩＣコイン払出口３８からＩＣコインが払い出され、払い出されたＩＣコインはＩＣコイン受皿４０に溜められる。
【０１８２】
［遊技機　開放時］
遊技機１０のメインドア５０を左側に開放した状態を図９に示す。尚、図９において図２と同一の符号で示す構成部分は、同一のものとする。
【０１８３】
上述したＩＣコイン投入口３１の背後には、ＩＣコイン処理部５２が設けられており、ＩＣコイン投入口３１から投入されたＩＣコインは、ＩＣコイン処理部５２により通信処理が行われ、シュート５６を通過し、ホッパー５８の中に収納され、若しくは、シュート６２を通過し、ＩＣコイン払出口３８よりＩＣコイン受皿４０に排出される。詳しくは、図１０を用いて後述する。
【０１８４】
更に、ホッパー５８の下部にはホッパー排出口６０が設けられており、ホッパー５８内に貯留されていたＩＣコインは、ホッパー排出口６０を経由して排出され、ＩＣコイン払出口３８よりＩＣコイン受皿４０に払出されるのである。
【０１８５】
［遊技機　ＩＣコイン処理部の構成］
図１０は、遊技機１０におけるＩＣコイン処理部５２の側面から見た内部構成を示す拡大説明図である。尚、図１０は、図４、図５とは異なる構成例を示す。
【０１８６】
以下、遊技機１０におけるＩＣコイン処理部５２の構成について説明する。
【０１８７】
図１０に示す７２は、ＩＣコイン投入通路である。このＩＣコイン投入通路７２は、ＩＣコイン投入口２０４から投入された複数のＩＣコインを直立状態に一枚ずつ直列に貯留待機させ、直立状態に一枚ずつ通行させるものであり、後述する通信部７８に向かって傾斜通路状に構成されている。
【０１８８】
また、このＩＣコイン投入通路７２は、ＩＣコインが通行する内壁面全体、即ち、上部内壁面、下部内壁面、左部内壁面、右部内壁面、を上述した如き電波吸収体で構成されている。
【０１８９】
７４は、ＩＣコイン排出通路である。このＩＣコイン排出通路７４は、後述する通信部７８に収納されたＩＣコインを一枚ずつ受け入れ、ＩＣコインを直立状態に一枚ずつ通行させるものであり、傾斜通路状に構成され、上述したシュート６２と連通している。
【０１９０】
また、このＩＣコイン排出通路７４は、ＩＣコインが通行する内壁面全体、即ち、上部内壁面、下部内壁面、左部内壁面、右部内壁面、を上述した如き電波吸収体で構成されている。
【０１９１】
７６は、ＩＣコイン回収通路である。このＩＣコイン回収通路７６は、後述する通信部７８に収納されたＩＣコインを一枚ずつ受け入れ、ＩＣコインを直立状態に一枚ずつ通行させるものであり、傾斜通路状に構成され、上述したシュート５６と連通している。
【０１９２】
７８は、通信部である。この通信部７８には、非接触でＩＣコインと通信可能にするためのアンテナ８０が設けられている。上述したＩＣコイン投入通路７２から案内されたＩＣコインは、この通信部７８に収納され、アンテナ８０により、管理データ等の種々のデータの書き込みや読み取りが非接触通信で行われる。
【０１９３】
アンテナ８０により、例えば、ＩＣコインから読み取った管理データが、遊技機１０が設置されている遊技場が有する固有の管理データとは異なる管理データであると判別された場合には、このＩＣコインは、他の遊技場において使用されているものが持ち込まれたか、不正にデータの書き換えが行われたＩＣコインであると判別することができる。
【０１９４】
また、この通信部２５６は、ＩＣコインが収納される内壁全体、即ち、左部内壁面、右部内壁面、後部内壁面を電波吸収体で構成されている。更に、左部内壁面にはアンテナ８０が設けられ、通信部７８に収納されたＩＣコインと非接触による通信が行われる。
【０１９５】
８２は、ＩＣコインセンサである。このＩＣコインセンサ８２は、通信部７８の上方に設けられ、上述したＩＣコイン投入通路７２により案内されたＩＣコインが通信部７８に収納されたことが検知される。
【０１９６】
８４は、ＩＣコイン押出部である。このＩＣコイン押出部８４は、アンテナ８０により、通信部７８に収納されているＩＣコインから読み取った管理データが、遊技機１０が設置されている遊技場が有する固有の管理データとは異なる管理データであると判別された場合等に、ＩＣコイン排出通路７４へと導くべく押し出し動作を行うためのものであり、ソレノイド２７４ａによって前後方向に駆動されることにより押し出し制御が行われる。
【０１９７】
８６は、通信部第一シャッタである。この通信部第一シャッタ８６は、図１０に示す如く、通信部７８の上部に設けられ、通信部７８にＩＣコインを一枚ずつ導くためのものであり、ソレノイド２７４ｂによって前後方向に駆動されることにより開閉制御が行われる。
【０１９８】
また、通信部第一シャッタ８６を上述した位置に設けることにより、ＩＣコイン投入通路７２に複数のＩＣコインを直列に貯留させることが可能となる。
【０１９９】
更に、この通信部第一シャッタ８６は、通信部７８の上方を開放している状態を常態とし、後述する如く、ＩＣコインが通信部７８に収納されたことにより、閉鎖状態に移行し、ＩＣコインが通信部７８において書き込みや読み取りを行う通信処理が終了したことにより、再び開放状態に移行するものである。
【０２００】
更にまた、この通信部第一シャッタ８６は、通信部７８側の内壁面を電波吸収体で構成されている。
【０２０１】
８８は、通信部第二シャッタである。この通信部第二シャッタ８８は、図１０に示す如く、通信部７８の前方部であって、ＩＣコイン排出通路７４の入口付近に設けられ、通信部７８に収納されたＩＣコインを支持するためのものであり、ソレノイド２７４ｃによって上下方向に駆動されることにより開閉制御が行われる。
【０２０２】
また、この通信部第二シャッタ８８は、通信部７８の左方を開放している状態を常態とし、後述する如く、ＩＣコインが通信部７８に収納されたことにより、閉鎖状態に移行し、ＩＣコインが通信部７８において書き込みや読み取りを行う通信処理が終了したことにより、再び開放状態に移行するものである。
【０２０３】
また、この通信部第二シャッタ８８は、通信部７８側の内壁面を電波吸収体で構成されている。
【０２０４】
９０は、ＩＣコイン回収通路シャッタである。このＩＣコイン回収通路シャッタ９０は、通信部７８の下部に設けられており、アンテナ８０により、通信部７８に収納されたＩＣコインから読み取った管理データが、遊技機１０が設置されている遊技場が有する固有の管理データと同一の正常な管理データであると判別された場合には、ＩＣコインを通信部７８からＩＣコイン回収通路７６、シュート５６を介して、ホッパー５８へと導くべく開閉動作を行うためのものであり、ソレノイド２７４ｄによって前後方向に駆動されることにより開閉制御が行われる。
【０２０５】
また、このＩＣコイン回収通路シャッタ９０は、ＩＣコイン回収通路７６を閉鎖している状態を常態とし、通信部７８に収納されたＩＣコインから読み取った管理データが、遊技機１０が設置されている遊技場が有する固有の管理データと同一の正常な管理データであると判別された場合に、開放状態に移行し、ＩＣコインがＩＣコイン回収通路７６に排出されたことにより、再び閉鎖状態に移行するものである。
【０２０６】
また、このＩＣコイン回収通路シャッタ９０は、図１０に示す如く、通信部７８側の壁面を上述の如き電波吸収体で構成されている。
【０２０７】
尚、本実施形態における遊技機１０のＩＣコイン処理部２２８の内部構成は、上述した如く構成することとしたが、本発明はこれに限られるものではない。
【０２０８】
【発明の効果】
本発明によれば、ＩＣコインを媒介として遊技媒体を貸し出す遊技媒体貸与機は、「通信によりデータの読み取り又は書き込みの少なくとも何れか一方を可能とするＩＣコインを投入するための投入口と、ＩＣコインを排出するための排出口と、前記投入口から前記排出口へと至るＩＣコイン通路と、前記ＩＣコイン通路に設けられ、前記ＩＣコイン通路を通行するＩＣコインに対し、通信によりデータの読み取り又は書き込みの少なくとも何れかを行うための通信手段と、を備え、前記ＩＣコイン通路の内壁に電波吸収体を設けてなる」ので、通信によりＩＣコインにデータの読み取りや書き込みを行う場合に使用される無線電波が電波吸収体により吸収され、遊技媒体貸与機内から外部に漏洩することがなく、外部に漏洩する電波を利用してＩＣコインにデータの不正書き込み等を行う不正行為を防止することができる。
【０２０９】
また、携帯電話等の遊技媒体貸与機周辺の電磁波の外乱により、非接触通信で行われるデータの読み取りや書き込み処理の誤作動を防止することが期待できると共に、故意に電波を発信しデータの書き込みや読み取りの誤作動を発生させる不正行為を防止することが期待できる。
【０２１０】
更に、上述した遊技機は、「通信によりデータの読み取り又は書き込みの少なくとも何れか一方を可能とするＩＣコインを投入するための投入口と、ＩＣコインを排出するための排出口と、前記投入口から前記排出口へと至るＩＣコイン通路と、前記ＩＣコイン通路の一部をなし、ＩＣコインを収納するための収納部と、前記収納部に設けられ、通信により前記収納部に収納されたＩＣコインに対し、通信によりデータの読み取り又は書き込みの少なくとも何れかを行うための通信手段と、を備え、前記ＩＣコイン通路の一部をなし、ＩＣコインを収納するための前記収納部の内壁に電波吸収体を設けてなる」ので、通信によりＩＣコインにデータの読み取りや書き込みを行う場合に使用される無線電波が電波吸収体により吸収され、遊技媒体貸与機内から外部に漏れることなく、外部に漏れる電波を利用してＩＣコインにデータの書き込みを行う等の不正行為を防止することができる。また、無線電波の発信源であり、通信を行うためにＩＣコインを収容する収容部の内壁を電波吸収体により構成することにより、必要最低限の範囲で、電波を吸収でき、遊技媒体貸与機内から外部に漏れることなく、外部に漏れる電波を利用してＩＣコインにデータの書き込みを行う等の不正行為を防止することが期待できる。更に、電波吸収体をより小さい面積で構成し、コストを低減することも期待できる。
【０２１１】
更にまた、上述した遊技機は、「前記投入口を開閉するための投入口開閉体と、前記排出口を開閉するための排出口開閉体と、を備え、前記投入口開閉体及び前記排出口開閉体の前記ＩＣコイン通路側である内壁に電波吸収体を設けてなる」ので、例えば、開閉体の内部側壁面を電波吸収体で構成し、ＩＣコインに対してデータの書き込みや読み取りが行われる間、ＩＣコイン投入口及びＩＣコイン排出口が開閉体により閉じられているように構成すれば、遊技媒体貸与機内から外部に漏れることなく、外部に漏れる電波を利用してＩＣコインにデータの書き込みを行う等の不正行為を防止する確実性が高まる。
【０２１２】
更にまた、遊技の結果に応じて、遊技媒体の払出しを行い、当該遊技媒体としてＩＣコインを用いる遊技機は、「通信によりデータの読み取り又は書き込みの少なくとも何れか一方を可能とするＩＣコインを投入するための投入口と、ＩＣコインを排出するための排出口と、前記投入口から前記排出口へと至るＩＣコイン通路と、前記ＩＣコイン通路に設けられ、前記ＩＣコイン通路を通行するＩＣコインに対し、通信によりデータの読み取り又は書き込みの少なくとも何れかを行うための通信手段と、を備え、前記ＩＣコイン通路の内壁に電波吸収体を設けてなる」ので、通信によりＩＣコインにデータの読み取りや書き込みを行う場合に使用される無線電波が電波吸収体により吸収され、遊技媒体貸与機内から外部に漏洩することがなく、外部に漏洩する電波を利用してＩＣコインにデータの不正書き込み等を行う不正行為を防止することができる。
【０２１３】
また、携帯電話等の遊技媒体貸与機周辺の電磁波の外乱により、非接触通信で行われるデータの読み取りや書き込み処理の誤作動を防止することが期待できると共に、故意に電波を発信しデータの書き込みや読み取りの誤作動を発生させる不正行為を防止することが期待できる。
【０２１４】
さらに、ＩＣコインを貸し出し用媒体に設定する遊技媒体貸与機、ＩＣコインを遊技用媒体に設定するスロットマシンやメダルマシン等の遊技機といった用途を問わず、ＩＣコインを使用する機器において上述した効果が期待できる。
【図面の簡単な説明】
【図１】本発明の一実施形態であるＩＣコイン用遊技媒体貸与機２００及び遊技機１０及びサーバ４３０を有するＩＣコイン管理システムの全体構成を示す概略図である。
【図２】本発明の一実施形態である遊技機１０及び遊技媒体貸与機２００の概観を示す斜視図である。
【図３】本発明の一実施形態である遊技媒体貸与機２００の側面から見た内部構成を示す説明図である。
【図４】本発明の一実施形態であるＩＣコイン処理部２２８の側面から見た内部構成を示す拡大説明図である。
【図５】本発明の一実施形態であるＩＣコイン処理部２２８の側面から見た内部構成を示す拡大説明図である。
【図６】本発明の一実施形態であるＩＣコイン処理部２２８において、電波吸収体で構成される内壁面を示す概略図である。
【図７】本発明の一実施形態である遊技媒体貸与機２００を制御する制御回路と、これに電気的に接続されている周辺装置とを含む回路構成を示すブロック図である。
【図８】本発明の一実施形態である遊技媒体貸与機２００の主制御回路３００において実行される遊技媒体貸与機２００を制御するフローチャートの概略図である。
【図９】本発明の一実施形態である遊技機１０のメインドア５０を左側に開放した状態を示す概略図である。
【図１０】本発明の一実施形態である遊技機１０におけるＩＣコイン処理部５２の側面から見た内部構成を示す拡大説明図である。
【符号の説明】
１０　遊技機
３１　ＩＣコイン投入口
３８　ＩＣコイン払出口
５２　ＩＣコイン処理部
７２　ＩＣコイン投入通路
７４　ＩＣコイン排出通路
７６　ＩＣコイン回収通路
７８　通信部
８０　アンテナ
８６　通信部第一シャッタ
８８　通信部第二シャッタ
９０　ＩＣコイン回収通路シャッタ
２００　遊技媒体貸与機
２０４　ＩＣコイン投入口
２０６　ＩＣコイン排出口
２２８　ＩＣコイン処理部
２４２　ＩＣコイン投入通路
２４４　ＩＣコイン貯留通路
２４６　ＩＣコイン回収通路
２４８　ＩＣコイン排出通路
２５０　ＩＣコイン投入口シャッタ
２５２　ＩＣコイン排出口シャッタ
２５４　ＩＣコイン貯留通路シャッタ
２５６　通信部
２５８　アンテナ
２６６　ＩＣコイン回収通路シャッタ
２７０　通信部第一シャッタ
２７２　通信部第二シャッタ
２７４Ａ〜Ｈ　ソレノイド
２７４ａ〜ｄ　ソレノイド
２８０　ピラミッド形電波吸収体
３００　主制御回路
３０２　インターフェイス回路群
３０４　入出力バス
３３２　通信用インターフェイス回路
【図１】
2004141490.tif 000003
【図２】
2004141490.tif 000004
【図３】
2004141490.tif 000005
【図４】
2004141490.tif 000006
【図５】
2004141490.tif 000007
【図６】
2004141490.tif 000008
【図７】
2004141490.tif 000009
【図８】
2004141490.tif 000010
【図９】
2004141490.tif 000011
【図１０】
2004141490.tif 000012